(57)【要約】  複数の発光素子であるレーザダイオード（１１）と、それぞれのレーザダイオード（１１）から出射されるそれぞれの光を反射する反射面（１３ｒ）を有する複数のミラー（１３）と、一方の面に複数のレーザダイオード（１１）が配置されるサブマウント（４）と、を備え、複数のミラー（１３）のうち一部のミラー（１３）は、サブマウント（４）の一方の面を平面視する場合に、他のミラー（１３）で反射される反射光と重なる位置に配置され、一部のミラー（１３）は、サブマウント（４）に接着剤で固定される被固定面（１３ｆ）を有し、被固定面（１３ｆ）は、反射面（１３ｒ）に対して垂直であり、サブマウント（４）のうち被固定面（１３ｆ）が固定される固定面（４０）及び被固定面（１３ｆ）は、一部のミラー（１３）と反射光とが重なる方向に対して非垂直である。
2018180807.tif 000002
【特許請求の範囲】
【請求項１】
複数の発光素子と、
それぞれの前記発光素子から出射されるそれぞれの光を反射する反射面を有する複数のミラーと、
一方の面側に前記複数の発光素子が配置されるマウントと、
を備え、
前記複数のミラーのうち一部のミラーは、前記マウントの前記一方の面を平面視する場合に、他の前記ミラーで反射される反射光と重なる位置に配置され、
前記一部のミラーは、前記マウントに接着剤で固定される被固定面を有し、
前記被固定面は、前記反射面に対して垂直であり、
前記マウントのうち前記被固定面が固定される固定面及び前記被固定面は、前記マウントの前記一方の面を平面視する場合に前記一部のミラーと前記反射光とが重なる方向に対して非垂直である
ことを特徴とする光モジュール。
【請求項２】
前記固定面及び前記被固定面は、前記一部のミラーと前記反射光とが重なる方向に対して平行である
ことを特徴とする請求項１に記載の光モジュール。
【請求項３】
前記マウントの前記一方の面が階段状に形成され、
前記複数の発光素子は、階段状に形成された前記マウントのそれぞれの段上に一つずつ配置され、
前記固定面は、互いに隣り合う前記段の間に形成される側壁に形成される
ことを特徴とする請求項１または２に記載の光モジュール。
【請求項４】
前記複数の発光素子が同一平面上に配置され、
前記固定面は、前記平面から前記ミラーが備えられる側に突出する突起部のうち前記平面に対して非平行な側面に形成される
ことを特徴とする請求項１または２に記載の光モジュール。
【請求項５】
前記固定面は、前記発光素子から出射される光の光軸に対して非平行とされる
ことを特徴とする請求項１から４のいずれか１項に記載の光モジュール。
【請求項６】
前記発光素子と前記ミラーとの間に、前記発光素子から出射される光をコリメートするコリメートレンズが備えられ、
前記コリメートレンズ及び前記ミラーは、一体に形成された面に固定される
ことを特徴とする請求項１から５のいずれか１項に記載の光モジュール。
【請求項７】
前記一部のミラーと前記反射光とが重なる方向は、前記マウントの前記一方の面に対して垂直な方向である
ことを特徴とする請求項１から６のいずれか１項に記載の光モジュール。
【発明の詳細な説明】
【技術分野】
【０００１】
本発明は、光モジュールに関する。
【背景技術】
【０００２】
光モジュールの一つとして、レーザダイオードから出射する光が光ファイバを介して出射するものが知られている。この光モジュールでは、筺体内から筺体外に光ファイバが導出されており、筺体内には、レーザダイオード、ミラー、レンズ、光ファイバ等の光学部品が配置されている。それぞれのレーザダイオードから出射する光は、集光された後に光ファイバに入射して、筺体外において光ファイバから出射する。【０００３】
例えば下記特許文献１には、階段状に形成されたマウントの各段上に配置された複数のレーザダイオード及びそれぞれのレーザダイオードに対応して設けられる複数のミラーと、これらのミラーで反射された光を集光する集光レンズと、このようにして集光された光が入射する光ファイバと、を備える光モジュールが開示されている。このような光モジュールでは、ミラーの底面が接着剤でマウントに固定されるので、この接着剤が熱や湿度の変化によって膨脹収縮すると、ミラーの配置高さが変化する。このようにミラーの高さが変化すると、階段の下段側に配置されたミラーが、上段側のミラーで反射された光の伝搬を妨げる場合があるという懸念がある。【０００４】
そこで、下記特許文献２に記載の光モジュールでは、レーザダイオードの出射面に対向する面において接着剤でミラーを固定している。このようにミラーが固定されることによって、ミラーを固定する接着剤の体積が変化してもミラーが階段の上下方向に移動することが抑制される。このため、階段の下段側に配置されたミラーが、上段側のミラーで反射された光の伝搬を妨げることが抑制され得る。【０００５】
【特許文献１】特開２０１６−１６４６７１号公報
【特許文献２】特許第５７３０８１４号公報
【発明の概要】
【０００６】
しかし、上記特許文献２に記載の光モジュールでは、ミラーを固定する接着剤が熱や湿度の変化によって体積変化する場合、ミラーの反射面はレーザダイオードから出射される光の光軸方向に沿って変位する。このように反射面が変位すると、ミラーで反射された光の出射位置がずれ、反射後の光の光路が変わる。反射後の光の光路が変わると、例えばこの光を集光レンズで集光する場合は、設計通りに集光できないという懸念がある。
【０００７】
そこで、本発明は、熱又は湿度による光路の変化が抑制され得る光モジュールを提供することを目的とする。
【０００８】
本発明の光モジュールは、複数の発光素子と、それぞれの前記発光素子から出射されるそれぞれの光を反射する反射面を有する複数のミラーと、一方の面側に前記複数の発光素子が配置されるマウントと、を備え、前記複数のミラーのうち一部のミラーは、前記マウントの前記一方の面を平面視する場合に、他の前記ミラーで反射される反射光と重なる位置に配置され、前記一部のミラーは、前記マウントに接着剤で固定される被固定面を有し、前記被固定面は、前記反射面に対して垂直であり、前記マウントのうち前記被固定面が固定される固定面及び前記被固定面は、前記マウントの前記一方の面を平面視する場合に前記一部のミラーと前記反射光とが重なる方向に対して非垂直であることを特徴とする。
【０００９】
例えば、ミラーの被固定面及び被固定面が固定される固定面が当該ミラーと他のミラーで反射された反射光とが重なる方向に対して垂直とされる場合、被固定面を固定する接着剤に体積変化が生じると、当該ミラーは被固定面及び固定面に対して概ね垂直な方向に変位する。すなわち他のミラーで反射された反射光の方向にミラーが変位する。その結果、当該ミラーと他のミラーで反射された反射光との距離が小さくなり、当該ミラーの変位が大きくなると当該反射光の伝搬が妨げられかねない。しかし、上記光モジュールでは、ミラーの被固定面及びマウントの固定面が当該ミラーと他のミラーで反射された反射光とが重なる方向に対して非垂直である。このため、被固定面を固定する接着剤に体積変化が生じる場合、ミラーが変位する方向は、当該ミラーと他のミラーで反射された反射光とが重なる方向に対して異なる方向となる。すなわち、ミラーが他のミラーで反射された反射光に近づく方向に変位することが上記例に比べて抑制される。よって、ミラーを固定する接着剤の体積変化によって光の伝搬が妨げられることが抑制され得る。また、上記のようにミラーが他のミラーで反射された反射光に近づく方向に変位することが抑制されることによって、ミラーと他のミラーで反射された反射光との間隔を狭くすることができる。このため、複数のミラーの設置間隔を狭くすることができ、複数の反射光を密に並べ易くなる。また、上記光モジュールでは、ミラーの被固定面が反射面に対して垂直であることによって、上記のように被固定面を固定する接着剤の体積変化によってミラーが変位する場合、反射面は主に同一面内において変位する。このため、反射面が変位したとしても発光素子と反射面との距離及び発光素子からの光の反射面への入射角が変化することが抑制される。よって、ミラーを固定する接着剤の体積変化によってミラーで反射された光の出射位置がずれることが抑制され得る。このように上記光モジュールでは、熱又は湿度によってミラーを固定する接着剤に体積変化が生じても光路の変化が抑制され得る。
【００１０】
また、前記固定面及び前記被固定面は、前記一部のミラーと前記反射光とが重なる方向に対して平行であることが好ましい。
【００１１】
固定面及び被固定面がミラーと反射光とが重なる方向に対して平行であることによって、被固定面を固定する接着剤に体積変化が生じると、ミラーはミラーと反射光とが重なる方向に対して概ね垂直な方向に変位する。このため、ミラーを固定する接着剤の体積変化が生じてもミラーが反射光に近付く方向へ変位することがより抑制される。よって、ミラーを固定する接着剤の体積変化によって光の伝搬が妨げられることがより抑制され得る。
【００１２】
また、前記マウントの前記一方の面が階段状に形成され、前記複数の発光素子は、階段状に形成された前記マウントのそれぞれの段上に一つずつ配置され、前記固定面は、互いに隣り合う前記段の間に形成される側壁に形成されることが好ましい。
【００１３】
このように階段状のマウントのそれぞれの段上にそれぞれの発光素子が配置されることによって、それぞれの発光素子から出射される光を一方向に並べて出射し易くなる。この場合、一部のミラーと他のミラーで反射された反射光とが重なる方向を、発光素子が配置される面に対して垂直な方向とし得る。また、互いに隣り合う段の間に形成される側壁はこれらの段を構成する面に対して非平行であるため、側壁の一部が固定面とされることによって、固定面は発光素子が配置される面に対して非平行とされる。よって、ミラーが固定される固定面は当該ミラーと他のミラーで反射された反射光とが重なる方向に対して非垂直とされ、上記のように、ミラーを固定する接着剤の体積変化によって光の伝搬が妨げられることが抑制され得る。
【００１４】
あるいは、前記複数の発光素子が同一平面上に配置され、前記固定面は、前記平面から前記ミラーが備えられる側に突出する突起部のうち前記平面に対して非平行な側面に形成されることが好ましい。
【００１５】
複数の発光素子が同一平面上に配置される場合は、上記のように設けられた突起部の側面にミラーの被固定面が固定される固定面が形成されることによって、当該ミラーと他のミラーで反射された反射光とが重なる方向に対して固定面が非垂直とされる。よって、上記のように、ミラーを固定する接着剤の体積変化によって光の伝搬が妨げられることが抑制され得る。
【００１６】
また、前記固定面は、前記発光素子から出射される光の光軸に対して非平行とされることが好ましい。
【００１７】
上記のように、ミラーの反射面と被固定面とは互いに垂直である。よって、発光素子から出射される光の光軸に対して被固定面が平行である場合、ミラーの反射面は発光素子から出射される光の光軸に対して垂直になる。ここで、上記のように固定面が発光素子から出射される光の光軸に対して非平行とされることによって、固定面と被固定面とを互いに平行にして固定することにより、発光素子から出射される光の光軸に対して反射面を所定の角度で傾斜させることができる。なお、上記のように固定面と被固定面とが平行とされることによって、被固定面を固定する接着剤の厚さを均一にできるため、接着剤の体積変化によるミラーの変位を、被固定面に対して垂直な方向に制限し易くなる。
【００１８】
また、前記発光素子と前記ミラーとの間に、前記発光素子から出射される光をコリメートするコリメートレンズが備えられ、前記コリメートレンズ及び前記ミラーは、一体に形成された面に固定されることが好ましい。
【００１９】
コリメートレンズとミラーとが一体に形成された面に固定されることによって、コリメートレンズとミラーとの相対的位置のずれが抑制され得る。
【００２０】
また、前記一部のミラーと前記反射光とが重なる方向は、前記マウントの前記一方の面に対して垂直な方向であることが好ましい。
【００２１】
以上のように、本発明によれば、熱又は湿度による光路の変化が抑制され得る光モジュールが提供される。
【図面の簡単な説明】
【００２２】
【図１】本発明の第１実施形態に係る光モジュールを示す斜視図である。
【図２】図１に示す光モジュールの蓋体を外した図である。
【図３】図２に示す光モジュールの一部を拡大して示す平面図である
【図４】図２に示す光モジュールのうち図３と同じ部位を示す側面図である。
【図５】図２に示すミラーを反射面側から正面視する図である。
【図６】図２に示す集光レンズの入射面に入射する光の広がりを示す図である。
【図７】本発明の第２実施形態に係る光モジュールを図２と同様の視点で示す図である。
【図８】図７に示すVIII−VIII線に沿った光モジュールの断面図である。
【図９】図７に示すIX−IX線に沿った光モジュールの断面図である。
【図１０】図７に示すミラーによって反射される光の光路を示す平面図である。
【図１１】図７に示すミラーによって反射される光の光路を示す側面図である。
【図１２】本発明の変形例にかかる光モジュールを図３と同様の視点で示す図である。
【図１３】本発明の他の変形例にかかる光モジュールを図３と同様の視点で示す図である。
【発明を実施するための形態】
【００２３】
以下、本発明に係る光モジュールの好適な実施形態について図面を参照しながら詳細に説明する。
【００２４】
（第１実施形態）
図１は、本実施形態に係る光モジュールを示す斜視図である。図１に示すように、本実施形態の光モジュール１は、ベースプレート２及び蓋体３から成る筺体と、筺体内に固定される後述の光学部品と、一部の光学部品に電力を供給するコネクタ４１とを備えている。
【００２５】
図２は、図１に示す光モジュール１の蓋体３を外した図である。図２では、レーザダイオード１１から出射する光の光路が破線で示されている。また、図３は、図２に示す光モジュール１の一部を拡大して示す平面図であり、図４は、図２に示す光モジュールのうち図３と同じ部位を示す側面図である。
【００２６】
ベースプレート２は、筺体の底板となる底面が平面状のプレートであり、本実施形態では図２に示すように平板状の部材である。ベースプレート２は金属から成り、ベースプレート２を構成する金属としては銅やステンレススチール等を挙げることができる。ベースプレート２には外周部に複数のねじ孔２７が形成されている。
【００２７】
ベースプレート２上には、はんだ７によってサブマウント４が固定されている。サブマウント４は、ベースプレート２側の底面が平面状であり、ベースプレート２とは反対側の面が階段状に形成されている。すなわち、サブマウント４のベースプレート２とは反対側の面は、サブマウント４の底面に平行な複数の平行面４ａと互いに隣り合う平行面４ａ間に形成される側壁４ｂとによって階段状に形成されている。本実施形態では、側壁４ｂは平行面４ａに対して垂直な面とされる。また、側壁４ｂは、図３及び図４に示すように、一体に形成される３つの面を有する。具体的には、側壁４ｂは、レーザダイオード１１から出射される光の光軸に平行に形成される第１面４ｂａ及び第３面４ｂｃと、第１面４ｂａ及び第３面４ｂｃの間に形成され、レーザダイオード１１から出射される光の光軸に対して所定の角度で傾斜する第２面４ｂｂとを有する。本実施形態では、第２面４ｂｂは、レーザダイオード１１から出射される光の光軸に対して４５°で傾斜している。第２面４ｂｂは、レーザダイオード１１から光の出射方向を見る場合に見えない面とされる。また、第２面４ｂｂは、図３に示すように、ミラー１３の被固定面１３ｆが固定される固定面４０が形成される部位である。
【００２８】
サブマウント４は、ベースプレート２よりも線膨脹係数が小さな材料から成る。例えば、ベースプレート２が銅から成る場合、サブマウント４は窒化アルミからなる。このようにサブマウント４が小さい線膨脹係数の材料から成ることによって、サブマウント４上に配置される光学部品が発する熱によるサブマウント４の膨張によって光モジュール１の光学的特性が変化することが抑制され得る。
【００２９】
サブマウント４は、一方の面側に光ファイバ５０を含む光学部品が配置されるマウントである。本実施形態の光学部品は、発光素子であるレーザダイオード１１、第１コリメートレンズ１６、第２コリメートレンズ１７、ミラー１３、第１集光レンズ１４、第２集光レンズ１５、光ファイバ５０を含んで構成される。
【００３０】
複数のレーザダイオード１１は、上記のように一方の面が階段状に形成されたサブマウント４の各段上に一つずつ配置されている。それぞれのレーザダイオード１１は、活性層を含む複数の半導体層が平行面４ａに対して垂直方向に積層されて成るファブリペロー構造を有する素子である。よって、レーザダイオード１１は、平行面４ａに対して垂直な方向がファスト軸、平行面４ａに対して平行な方向がスロー軸となるレーザ光を出射する。それぞれのレーザダイオード１１は、例えば波長が９００ｎｍ帯のレーザ光を出射する。本実施形態では、それぞれのレーザダイオード１１は、レーザマウント１２上にはんだ等により固定されており、レーザマウント１２を介してサブマウント４の平行面４ａ上に固定されている。
【００３１】
レーザマウント１２は、レーザダイオード１１の高さを調整するための台であり、それぞれのレーザマウント１２は、サブマウント４における外周側の位置に例えばはんだ付け等により固定されている。なお、このようにレーザマウント１２がサブマウント４と別体とされて、レーザマウント１２がサブマウント４上に固定されても良いが、レーザマウント１２がサブマウント４と一体に成型されても良い。或いは、レーザダイオード１１の高さ調整が不要の場合、このレーザマウント１２は省略されても良い。
【００３２】
第１コリメートレンズ１６は、レーザダイオード１１から出射する光のファスト軸方向の光をコリメートするレンズである。第１コリメートレンズ１６は、レーザダイオード１１との相対的位置が固定されるように、樹脂等によってレーザマウント１２上に固定される。
【００３３】
第２コリメートレンズ１７は、レーザダイオード１１から出射する光のスロー軸方向の光をコリメートするレンズである。第２コリメートレンズ１７は、サブマウント４の平行面４ａ上に接着等により固定されている。
【００３４】
それぞれのミラー１３はそれぞれのレーザダイオード１１における光の出射方向側に設けられ、一つレーザダイオード１１に対して一つのミラー１３が設けられる。したがって、それぞれのミラー１３は、レーザダイオード１１から出射してコリメートされた光を直接反射することができる。また、図２から図４に示すように、それぞれのミラー１３は、レーザダイオード１１からの光を反射する反射面１３ｒとサブマウント４の固定面４０に接着剤で固定される被固定面１３ｆとを有する。また、複数のミラー１３のうち一部のミラー１３は、図２に示すように、サブマウント４の平行面４ａに対して垂直な方向において、他のミラー１３で反射された反射光と重なる位置に配置される。換言すると、一部のミラー１３と他のミラー１３で反射された反射光とが重なる方向は、サブマウント４の一方の面である平行面４ａに対して垂直な方向である。すなわち、本実施形態の一部のミラー１３は、サブマウント４の一方の面を平面視する場合に、他のミラー１３で反射された反射光と重なる位置に配置される。また、上記のように、それぞれのレーザダイオード１１は平行面４ａに対して垂直な方向がファスト軸となる光を出射する。このため、一部のミラー１３は、それぞれのミラー１３の反射面１３ｒに入射する光のファスト軸方向において他のミラー１３で反射された反射光と並ぶように配置される。本実施形態では、当該一部のミラー１３は、複数のミラー１３のうち階段状のサブマウント４の最上段に配置されるミラー１３を除くミラー１３である。すなわち、当該一部のミラー１３は、第１集光レンズ１４から最も離れた位置に配置されるミラー１３を除く全てのミラー１３である。
【００３５】
図５は、上記一部のミラー１３のうちの一つのミラー１３を反射面１３ｒ側から正面視する図である。図５には、一つのミラー１３の正面図と、当該ミラー１３で反射される反射光である光Ｌ２の広がりと、他のミラー１３で反射された反射光のうち当該一つのミラー１３の最も近くを伝搬する反射光である光Ｌ１の広がりを示している。図５に示すＳは光Ｌ１，Ｌ２のスロー軸を意味し、Ｌはファスト軸を意味する。図５に示すように、ミラー１３は、反射面１３ｒで反射される光Ｌ２のファスト軸Ｆ方向において他のミラー１３で反射される光Ｌ１と並ぶように配置される。また、本実施形態のミラー１３は、他のミラー１３で反射された反射光のうち最も近くを伝搬する光Ｌ１のファスト軸Ｆ方向において当該光Ｌ１と並ぶように配置される。また、本実施形態のミラー１３の被固定面１３ｆは、当該ミラー１３と他のミラーで反射された光Ｌ１とが重なる方向に対して平行に形成される。
【００３６】
また、それぞれのミラー１３の被固定面１３ｆは、反射面１３ｒに対して垂直な面とされる。被固定面１３ｆは側壁４ｂの第２面４ｂｂの一部である固定面４０に接着剤によって固定される。本実施形態の第２面４ｂｂは、レーザダイオード１１が配置される平行面４ａに対して垂直な面であり、被固定面１３ｆと固定面４０とが互いに平行となるように固定されることによって、被固定面１３ｆは平行面４ａに対して垂直な面とされる。また、上記のように第２面４ｂｂはレーザダイオード１１から出射される光の光軸に対して所定の角度で傾斜している。このため、固定面４０と被固定面１３ｆとが互いに平行とされることによって、レーザダイオード１１から出射される光の光軸に対して反射面１３ｒが所定の角度で傾けられる。本実施形態では、上記のように第２面４ｂｂはレーザダイオード１１から出射される光の光軸に対して４５°で傾斜している。このためこの固定面４０と被固定面１３ｆとが互いに平行となるように固定されることによって、被固定面１３ｆに対して垂直である反射面１３ｒは、レーザダイオード１１から出射される光の光軸に対して４５°で傾斜する。
【００３７】
また、上記のように第２面４ｂｂはレーザダイオード１１から光の出射方向を見る場合に見えない面とされる。このため、第２面４ｂｂの一部である固定面４０に固定される被固定面１３ｆは、レーザダイオード１１から出射して反射面１３ｒに入射する光の光軸と重なる直線から外れた位置に配置される。
【００３８】
このような本実施形態のミラー１３は、例えば誘電体多層膜からなる反射膜によって反射面１３ｒが表面に形成されたガラス体である。なお、反射面１３ｒは金属膜によって形成されても良い。
【００３９】
第１集光レンズ１４及び第２集光レンズ１５は、それぞれシリンドリカルレンズから成り、サブマウント４に接着により固定されている。第１集光レンズ１４は、それぞれのミラー１３で反射される光をファスト軸方向に集光し、第２集光レンズ１５は、第１集光レンズ１４から出射する光をスロー軸方向に集光する。なお、これらの集光レンズから出射する光が所望の位置で集光しない場合には、他の集光レンズが更にサブマウント４上に配置されても良い。
【００４０】
光ファイバ５０は、パイプ状のホルダ５１に挿通されて、ホルダ５１に固定されている。本実施形態では、光ファイバ５０の光の入射端となる一端がホルダ５１から僅かに導出されている。ホルダ５１はファイバマウント５２に固定され、ファイバマウント５２はサブマウント４に固定されている。光ファイバ５０の一端は、第２集光レンズ１５から出射する光が、コアに入射可能な位置とされる。本実施形態では、光ファイバ５０はホルダ５１に接着剤やはんだ付けにより固定されており、ホルダ５１はファイバマウント５２に接着されることで固定され、ファイバマウント５２はサブマウント４に接着により固定されている。
【００４１】
コネクタ４１は、一対の棒状の導体から形成されており、それぞれの導体は一対のコネクタホルダ４２に固定されている。それぞれのコネクタホルダ４２は、サブマウント４に接着されて固定されている。コネクタ４１の一方の導体は、コネクタ４１に最も近いレーザダイオード１１と図示しない金線により接続されており、それぞれのレーザダイオード１１は図示しない金線によりデイジーチェーン接続されている。また、コネクタ４１から最も離れたレーザダイオード１１は、コネクタ４１の他方の導体に図示しない金線により接続されている。
【００４２】
蓋体３は、金属板がプレス加工されて成り、図１に示すように、トッププレート３１と、枠体３２と、鍔部３３とから成る。トッププレート３１は、筺体の天板となる部位であり、平板状の部材からなる。枠体３２は、トッププレート３１の周縁においてトッププレート３１に垂直に連結される部位である。また、枠体３２は、蓋体３がベースプレート２上に配置された状態で、サブマウント４及びサブマウント４上の光学部品等を囲む大きさとされる。また、枠体３２及び鍔部３３には、光ファイバ５０を筺体内から筺体外に導出するための切り欠き、および、コネクタ４１を筺体内から筺体外に導出するための切り欠きが形成されている。また、鍔部３３には複数のねじ孔が形成されており、これらのねじ孔とベースプレート２のそれぞれのねじ孔２７とにねじ２５が螺入されることにより、ベースプレート２と蓋体３とが固定される。
【００４３】
次に、光モジュール１の光学的な動作について説明する。
【００４４】
コネクタ４１からそれぞれのレーザダイオード１１に所望の電力が供給されると、図２に示すように、それぞれのレーザダイオード１１は、それぞれのレーザダイオード１１に対応するそれぞれの第１コリメートレンズ１６に向かって光を出射する。この光は、上記のように例えば波長が９００ｎｍ帯のレーザ光とされる。また、それぞれのレーザダイオード１１から出射される光は、ファスト軸方向がそれぞれのレーザダイオード１１が配置される平面である平行面４ａに対して直交する方向とされ、スロー軸方向が平行面４ａに対して平行な方向とされる。
【００４５】
それぞれの第１コリメートレンズ１６では、それぞれのレーザダイオード１１から出射する光をファスト軸方向にコリメートして出射する。それぞれの第２コリメートレンズ１７では、それぞれの第１コリメートレンズ１６から出射した光をスロー軸方向にコリメートして出射する。それぞれの第２コリメートレンズ１７から出射した光は、対応するそれぞれのミラー１３に入射し、それぞれのミラー１３で反射される。本実施形態では、上記のようにミラー１３の反射面１３ｒは、レーザダイオード１１から出射する光の光軸に対して４５°傾斜しているため、ミラー１３に入射した光は垂直に反射される。複数のミラー１３で反射された光は、第１集光レンズ１４に入射する。
【００４６】
図６は、図２に示す第１集光レンズ１４の入射面１４ｆに入射する光の広がりを示す図である。それぞれのレーザダイオード１１は、上記のように階段状に形成されたサブマウント４の各段上に配置されている。このため、複数のレーザダイオード１１から出射されて複数のミラー１３で反射されるそれぞれの光Ｌ１は、第１集光レンズ１４の入射面１４ｆに入射するときにファスト軸Ｆ方向が揃うように並べられている。なお、レーザダイオード１１から出射されるファスト軸Ｆ方向の光はシングルモードのため第１コリメートレンズ１６においてコリメートされ易く、スロー軸Ｓ方向の光はマルチモードのためファスト軸Ｆ方向の光に比べて第２コリメートレンズ１７においてコリメートされ難い。このため、図６に示すように、第１集光レンズ１４に入射する光Ｌ１は、スロー軸Ｓ方向に対してファスト軸Ｆ方向の広がりが小さな光とされる。
【００４７】
第１集光レンズ１４に入射する光は、上記のようにファスト軸方向が集光される。第１集光レンズ１４から出射する光は、第２集光レンズ１５に入射して、第２集光レンズ１５により光のスロー軸方向が集光される。第２集光レンズ１５により集光された光は、光ファイバ５０のコアに入射して、光ファイバ５０を伝搬する。こうして、光ファイバ５０の他端から光が出射する。
【００４８】
次に、光モジュール１の作用について説明する。
【００４９】
光モジュール１は、複数の発光素子であるレーザダイオード１１と、それぞれのレーザダイオード１１から出射されるそれぞれの光を反射する複数のミラー１３と、を備える。それぞれのミラー１３は、反射面１３ｒに対して垂直に形成されてサブマウント４の固定面４０に接着剤で固定される被固定面１３ｆを有する。また、複数のミラー１３のうち一部のミラー１３は、上記のように、サブマウント４の一方の面を平面視する場合に他のミラー１３で反射された反射光と重なる位置に配置される。また、本実施形態の一部のミラー１３の被固定面１３ｆ及び当該被固定面１３ｆが固定される固定面４０は、当該ミラー１３と上記反射光とが重なる方向に対して平行である。
【００５０】
レーザダイオード１１の発光時に生じる熱がサブマウント４を介してミラー１３の被固定面１３ｆを固定する接着剤に伝わる等して、当該接着剤に体積変化が生じる場合、ミラー１３は主に被固定面１３ｆに対して概ね垂直な方向へ変位する。本実施形態では、上記のように、一部のミラー１３の被固定面１３ｆ及び該被固定面１３ｆが固定される固定面４０は、当該ミラー１３と他のミラー１３で反射された反射光とが重なる方向に対して平行である。このため、被固定面１３ｆを固定する接着剤に体積変化が生じて被固定面１３ｆが垂直方向に変位すると、ミラー１３はミラー１３と反射光とが重なる方向に対して垂直な方向に変位する。よって、ミラー１３が他のミラー１３で反射された反射光に近づく方向に変位することが抑制され、ミラー１３を固定する接着剤の体積変化によって他のミラー１３で反射された反射光の伝搬が妨げられることが抑制され得る。また、上記のようにミラー１３が他のミラー１３で反射された反射光に近づく方向に変位することが抑制されることによって、ミラー１３と他のミラー１３で反射された反射光との間隔を狭くすることができる。このため、複数のミラー１３の設置間隔を狭くすることができ、複数の反射光を一方向に密に並べ易くなる。本実施形態では、複数の反射光をファスト軸方向が揃うように密に並べ易くなる。
【００５１】
また、光モジュール１では、ミラー１３の被固定面１３ｆが反射面１３ｒに対して垂直であることによって、上記のように被固定面１３ｆを固定する接着剤の体積変化によってミラー１３が変位する場合、反射面１３ｒは主に同一面内において変位する。このため、反射面１３ｒが変位したとしてもレーザダイオード１１と反射面１３ｒとの距離及びレーザダイオード１１からの光の反射面１３ｒへの入射角が変化することが抑制される。よって、ミラー１３を固定する接着剤の体積変化によってミラー１３で反射された光の出射位置がずれることが抑制され得る。例えば、上記特許文献２に記載の光モジュールのように、レーザダイオードの出射面に対向する面においてミラーが接着剤で固定される場合を考える。この場合、ミラーを固定する接着剤が体積変化すると、ミラーの反射面はレーザダイオードから出射される光の光軸方向に沿って変位する。このように反射面が変位すると、ミラーで反射された光の出射位置がずれ、反射後の光の光路が変わる。本実施形態のようにレーザダイオードが配置される面に対して平行な方向がスロー軸となる光がレーザダイオードから出射される場合、特許文献２に記載の光モジュールのように反射面が変位すると、当該反射面で反射された後の光の光路はスロー軸方向にずれ易くなる。本実施形態では、ミラー１３で反射された光がこのようにスロー軸方向にずれることが抑制され得る。
【００５２】
以上のように、光モジュール１では、ミラー１３を固定する接着剤に体積変化が生じても光路の変化が抑制され得る。したがって、光モジュール１では、熱又は湿度による光路の変化が抑制され得る。
【００５３】
また、光モジュール１では、複数のレーザダイオード１１は、階段状に形成されたサブマウント４のそれぞれの段上に一つずつ配置される。このように複数のレーザダイオード１１が配置されることによって、それぞれの複数のレーザダイオード１１から出射される光をファスト軸方向に並べて出射し易くなる。
【００５４】
また、それぞれのミラー１３の被固定面１３ｆは、互いに隣り合う平行面４ａ間に形成される側壁４ｂに固定される。本実施形態では、互いに隣り合う段の間に形成される側壁４ｂはこれらの段を構成する平行面４ａに対して垂直であるため、側壁４ｂにミラー１３の被固定面１３ｆが固定されることによって、被固定面１３ｆはこれらの段を構成する平行面４ａに対して垂直とされる。また、本実施形態では、一部のミラー１３と他のミラー１３で反射された反射光とが重なる方向は、レーザダイオード１１が配置される平行面４ａに対して垂直な方向である。よって、ミラー１３の被固定面１３ｆは当該ミラー１３と他のミラー１３で反射された反射光とが重なる方向に対して平行とされ、上記のように、ミラー１３を固定する接着剤の体積変化によって光の伝搬が妨げられることが抑制され得る。
【００５５】
また、上記のようにミラー１３の反射面１３ｒと被固定面１３ｆとは互いに垂直である。よって、レーザダイオード１１から出射される光の光軸に対して被固定面１３ｆが平行である場合、ミラー１３の反射面１３ｒはレーザダイオード１１から出射される光の光軸に対して垂直になる。ここで、光モジュール１では、上記のようにミラー１３の被固定面１３ｆが固定される固定面４０がレーザダイオード１１から出射される光の光軸に対して非平行とされる。このため、固定面４０と被固定面１３ｆとを互いに平行にして固定することにより、レーザダイオード１１から出射される光の光軸に対して反射面１３ｒを所定の角度で傾斜させることができる。このように被固定面１３ｆが固定される固定面４０と被固定面１３ｆとが平行とされることによって、被固定面１３ｆを固定する接着剤の厚さを均一にできるため、接着剤の体積変化によるミラー１３の変位を、被固定面１３ｆに対して垂直な方向に制限し易くなる。
【００５６】
また、光モジュール１では、ミラー１３は、被固定面１３ｆがレーザダイオード１１から出射される光の光軸と重なる直線から外れるように配置される。被固定面１３ｆがこのように配置されることによって、レーザダイオード１１から出射される光がミラー１３を透過する場合や当該光による熱がミラー１３に伝わる場合であっても、被固定面１３ｆを固定する接着剤が加熱されることが抑制される。このため、接着剤の熱による体積変化や損傷が抑制され得る。なお、本実施形態では、上記のように、ミラー１３の被固定面１３ｆが固定される固定面４０がレーザダイオード１１から光の出射方向を見る場合に見えない面とされる。よって、被固定面１３ｆがレーザダイオード１１から出射される光の光軸と重なる直線から外れるようにミラー１３を固定することが容易である。なお、このようにミラー１３を固定する接着剤が加熱されることを抑制する観点から、レーザダイオード１１から出射される光の光軸と重なる直線から被固定面１３ｆが十分に離れるようにミラー１３を固定することが好ましい。
【００５７】
また、複数のレーザダイオード１１から出射されるそれぞれの光は、上記のように、複数のミラー１３で反射された後に互いにファスト軸方向が揃うように並ぶ。レーザダイオード１１から出射される光のうちファスト軸方向の光は、上記のようにスロー軸方向の光に比べてコリメートされ易い。このため、複数のレーザダイオード１１から出射されてコリメートされた光がファスト軸方向が揃うように並べられることによって、光が空間的に密に集められ易い。このため、光モジュール１では、複数のレーザダイオード１１から出射される光が空間的に密に集められ得る。このため、光モジュール１は、高出力化された光を出射し得る。よって、光モジュール１では、多重化された高輝度な光が光ファイバ５０を伝搬し得る。
【００５８】
また、光モジュール１では、それぞれのミラー１３で反射されるそれぞれの光は、ファスト軸方向から見て複数のミラー１３が並列される方向に反射される。このようにしてそれぞれのミラー１３でそれぞれの光が反射されることによって、それぞれのミラー１３で反射されるそれぞれの光がスロー軸方向に互いにずれることが抑制され得る。このため、それぞれのミラー１３で反射されるそれぞれの光が狭い領域に集光され得る。
【００５９】
また、光モジュール１では、階段状に形成されたサブマウント４の各段上にそれぞれのミラー１３が配置されると共に、上記のようにミラー１３は当該階段の上下方向への変位が抑制される。よって、それぞれのミラー１３で反射される光が他のミラー１３に遮られることが抑制され得る。このようにしてそれぞれのミラー１３で光が反射されることによって、複数のレーザダイオード１１から出射される光が効率良く利用され得る。このため、複数のレーザダイオード１１から出射される光が効率良く光ファイバ５０に入射し得る。
【００６０】
（第２実施形態）
次に、本発明の第２実施形態について図７を参照して詳細に説明する。なお、第１実施形態と同一又は同等の構成要素については、特に説明する場合を除き、同一の参照符号を付して重複する説明は省略する。
【００６１】
図７は、本発明の第２実施形態に係る光モジュール１ａを図２と同様の視点で示す図である。図８は、図７に示すVIII−VIII線に沿った光モジュール１ａの断面図である。図９は、図７に示すIX−IX線に沿った光モジュール１ａの断面図である。
【００６２】
本実施形態のサブマウント４は、複数の突起部４ｐが形成される部位を除いて平板状の基板である点において、第１実施形態と異なる。本実施形態のサブマウント４は、ベースプレート２側の底面が平面状であり、ベースプレート２とは反対側の表面４ｆには複数の突起部４ｐを有する。本実施形態では、複数のレーザダイオード１１はサブマウント４の表面４ｆうち平面状の部位に配置される。よって、複数のレーザダイオード１１は同一平面上に配置される。
【００６３】
それぞれの突起部４ｐは、サブマウント４の一方の面のうち平面状の部位である表面４ｆからミラー１３が備えられる側に突出する。本実施形態では、それぞれの突起部４ｐは、レーザダイオード１１が配置される面に対して垂直方向に突出して形成されている。本実施形態の突起部４ｐは、削り出し等によってサブマウント４の他の部位と一体に形成される部位である。ただし、突起部４ｐは、サブマウント４の他の部位とは別に形成された後に圧入等によってサブマウント４に一体化されてサブマウント４の一部とされても良い。このように、サブマウント４は複数の部材が一体とされることで構成されても良い。また、本実施形態のサブマウント４上に固定される光学部品は、レーザダイオード１１、第１コリメートレンズ１６、第２コリメートレンズ１７、ミラー１３、第１集光レンズ１４、第２集光レンズ１５、光ファイバ５０に加えて光屈折部材１８を含んで構成される。
【００６４】
本実施形態では、それぞれのミラー１３の被固定面１３ｆは、図９に示すように、突起部４ｐの側面４ｐｆの一部である固定面４０に固定されている。本実施形態の側面４ｐｆは、上記第１実施形態の第２面４ｂｂと同様に、サブマウント４の表面４ｆに対して垂直であると共にレーザダイオード１１から出射される光の光軸に対して所定の角度で傾斜している。また、それぞれのミラー１３は、図８に示すように、レーザダイオード１１が配置されるサブマウント４の表面４ｆの法線に対して反射面１３ｒが傾斜するように固定されている。反射面１３ｒがこのように傾斜することによって、後に詳述するように、複数のミラー１３は、それぞれのレーザダイオード１１から出射するそれぞれの光を互いにファスト軸方向が揃って並ぶように反射することができる。また、本実施形態では、それぞれのミラー１３で反射される光が他のミラー１３に遮られることが抑制され得るように複数のミラー１３が配置されている。
【００６５】
光屈折部材１８は、複数のミラー１３と第１集光レンズ１４との間に備えられ、サブマウント４に接着により固定されている。光屈折部材１８は、複数のミラー１３によって反射されたそれぞれの光の伝搬方向が第１集光レンズ１４の光軸に対して平行に近づくように光を屈折させる。本実施形態の光屈折部材１８は、ミラー１３側の面と第１集光レンズ１４側の面とが非平行に形成されている。光屈折部材１８はサブマウント４に固定される底面を有し、光屈折部材１８のうち第１集光レンズ１４側となる面は底面に対して垂直に形成され、ミラー１３側となる面は底面との成す角が鋭角となるように形成されている。このため、光屈折部材１８の底面がサブマウント４の表面４ｆと平行に固定された状態において、複数のミラー１３で反射された光が光屈折部材１８に入射してから透過するまでの距離は、サブマウント４から離れるに従って小さくなる。このような光屈折部材１８は、ウェッジ基板であり、例えばガラスから成る。
【００６６】
本実施形態では、第１集光レンズ１４及び第２集光レンズ１５は、第１集光レンズ１４の光軸及び第２集光レンズ１５の光軸が複数のレーザダイオード１１が配置される面と平行となるように配置される。また、本実施形態では、第１集光レンズ１４の光軸と第２集光レンズ１５の光軸とが一直線上となるように第１集光レンズ１４及び第２集光レンズ１５が配置される。さらに、第１集光レンズ１４は、複数のミラー１３によって反射された光が光屈折部材１８を介して入射する領域の中心における光の入射方向と第１集光レンズ１４の光軸とが平行となるように配置される。
【００６７】
次に、光モジュール１ａの光学的な動作について説明する。
【００６８】
上記第１実施形態と同様にして、それぞれのレーザダイオード１１は、それぞれのレーザダイオード１１に対応するそれぞれの第１コリメートレンズ１６及び第２コリメートレンズ１７に向かって光を出射する。それぞれの第２コリメートレンズ１７から出射した光は、対応するそれぞれのミラー１３に入射する。それぞれのミラー１３は、入射する光を次に説明するように反射する。
【００６９】
図１０は、図７に示すミラー１３によって反射される光の光路を示す平面図である。図１１は、図７に示すミラー１３によって反射される光の光路を示す側面図である。図１０及び図１１では、光モジュール１ａに備えられる一部の部材のみが概略的に示されており、それぞれのレーザダイオード１１から出射する光の光路が破線で示されている。なお、第１集光レンズ１４及び第２集光レンズ１５は、図示しない台座を介してサブマウント４に固定されている。
【００７０】
本実施形態のミラー１３の反射面１３ｒは、上記のように傾斜しており、入射する光をサブマウント４の表面４ｆに対して斜め方向に反射させることができる。このため、それぞれのミラー１３で反射される光は、図１０及び図１１に示すように、第１集光レンズ１４側の隣に配置される他のミラー１３のサブマウント４とは反対側の空間を伝搬する。このようにして、複数のミラー１３は、それぞれのレーザダイオード１１から出射するそれぞれの光を互いにファスト軸方向が揃って並ぶように反射することができる。さらに、本実施形態では、複数のミラー１３は、それぞれのレーザダイオード１１から出射するそれぞれの光を伝搬方向が互いに平行となるように反射する。すなわち、それぞれのレーザダイオード１１から出射される光が互いに平行である場合、それぞれのミラー１３の反射面１３ｒはサブマウント４の表面４ｆに対して概ね同じ角度とされる。
【００７１】
上記のように複数のミラー１３で反射された光は、光屈折部材１８に入射する。光屈折部材１８に入射する光は、図９に示すように、複数のミラー１３によって反射されたそれぞれの光の伝搬方向が第１集光レンズ１４の光軸に対して平行に近づくように屈折する。したがって、第１集光レンズ１４には、光軸に対してほぼ平行な光が入射する。複数のレーザダイオード１１から出射される光は、上記のように複数のミラー１３の反射によりファスト軸方向に並べられる。よって、これらの光は、第１集光レンズ１４の入射面１４ｆに入射するとき、第１実施形態と同様にファスト軸方向が揃うように並べられている。
【００７２】
第１集光レンズ１４に入射する光は、上記のようにファスト軸方向が集光される。第１集光レンズ１４から出射する光は、第２集光レンズ１５に入射して、第２集光レンズ１５により光のスロー軸方向が集光される。第２集光レンズ１５により集光された光は、光ファイバ５０のコアに入射して、光ファイバ５０を伝搬する。こうして、光ファイバ５０の他端から光が出射する。
【００７３】
次に、光モジュール１ａの作用について説明する。
【００７４】
光モジュール１ａでは、複数のレーザダイオード１１が同一平面上に配置され、それぞれのミラー１３の被固定面１３ｆは、複数のレーザダイオード１１が配置される平面からミラー１３が備えられる側に突出する突起部４ｐのうち当該平面に対して垂直な固定面４０に固定されている。複数のレーザダイオード１１が同一平面上に配置される場合は、このように固定面４０にミラー１３の被固定面１３ｆが固定されることによって、ミラー１３の被固定面１３ｆが当該ミラー１３と他のミラー１３で反射された反射光とが重なる方向に対して平行とされ得る。よって、上記第１実施形態と同様に、熱や湿度による光路の変化が抑制され得る。
【００７５】
以上、本発明について、上記実施形態を例に説明したが、本発明はこれに限定されるものではない。
【００７６】
例えば、上記第１実施形態では、一部のミラー１３のそれぞれの被固定面１３ｆ及びこれらの被固定面１３ｆが固定される固定面４０がそれぞれのミラー１３と他のミラー１３で反射された反射光とが重なる方向に対して平行である例を挙げて説明した。しかし、本発明は当該実施形態に限定されない。一部のミラー１３の被固定面１３ｆ及びこれらの被固定面１３ｆが固定される固定面４０が当該ミラー１３と他のミラーで反射された反射光とが重なる方向に対して非垂直であれば良い。ミラーの被固定面及び被固定面が固定される固定面が当該ミラーと他のミラーで反射された反射光とが重なる方向に対して垂直とされる場合、被固定面を固定する接着剤に体積変化が生じると、当該ミラーは被固定面に垂直な方向に変位する。すなわち、当該ミラーと他のミラーで反射された反射光とが重なる方向に当該ミラーが変位する。その結果、当該ミラーと他のミラーで反射された反射光との距離が小さくなり、当該ミラーの変位が大きくなると当該反射光の伝搬が妨げられかねない。しかし、上記のようにミラー１３の被固定面１３ｆ及び固定面４０が当該ミラー１３と他のミラー１３で反射されたと反射光とが重なる方向に対して非垂直であれば、被固定面１３ｆを固定する接着剤に体積変化が生じる場合、当該ミラー１３が変位する方向は、当該ミラー１３と他のミラー１３で反射された反射光とが重なる方向に対して異なる方向となる。すなわち、当該ミラー１３が他のミラー１３で反射された反射光に近づく方向に変位することが上記例に比べて抑制される。よって、ミラー１３を固定する接着剤の体積変化によって光の伝搬が妨げられることが抑制され得る。
【００７７】
また、上記第２実施形態では、レーザダイオード１１が配置される平面に対して垂直な突起部４ｐの側面４ｐｆにミラー１３の被固定面１３ｆが固定される例を挙げて説明したが、本発明は当該実施形態に限定されない。突起部４ｐの側面４ｐｆは、レーザダイオード１１が配置される平面に対して非平行であれば良い。複数のレーザダイオード１１が同一平面上に配置される場合は、ミラー１３の被固定面１３ｆがこのような突起部４ｐの側面４ｐｆに固定されることによって、ミラー１３の被固定面１３ｆは当該ミラー１３と他のミラー１３で反射された反射光とが重なる方向に対して非垂直とされ得る。よって、上記のように、ミラー１３を固定する接着剤の体積変化によって光の伝搬が妨げられることが抑制され得る。
【００７８】
また、上記第１実施形態では、ミラー１３が側壁４ｂのうちレーザダイオード１１側から見えない第２面４ｂｂにミラー１３が固定される例を挙げて説明したが、本発明は当該実施形態に限定されない。図１２は、本発明の変形例にかかる光モジュールを図３と同様の視点で示す図である。本変形例にかかる光モジュールでは、レーザダイオード１１から出射される光の光軸側に側壁４ｂから突出するブロック部１０４が形成されている。ブロック部１０４は、削り出し等によってサブマウント４の他の部位と一体に形成されても良く、サブマウント４の他の部位とは別に形成された後にサブマウント４と一体化されてサブマウント４の一部とされても良い。また、ブロック部１０４のうちレーザダイオード１１から出射される光の光軸側の端面が第２面４ｂｂと同様に傾斜した傾斜面１０４ｂとされる。
【００７９】
また、第１実施形態ではミラー１３が側壁４ｂに固定される例を挙げて説明したが、第１実施形態でも第２実施形態と同様に平行面４ａに突起部４ｐを設けて当該突起部にミラー１３が固定されても良い。また、第１及び第２実施形態ではミラー１３が一つの被固定面１３ｆで固定される例を挙げて説明したが、サブマウント４に突起部４ｐと同様の突起部を設ける等して、ミラー１３のうち被固定面１３ｆに対向する面も固定されても良い。
【００８０】
また、上記第１及び第２実施形態では、ミラー１３が表面に反射膜が形成されたガラス体である例を挙げて説明したが、ミラー１３は光モジュールの使用に耐えうるものであって光を所定の方向に反射できる部材であれば特に限定されない。図１３は、本発明の他の変形例にかかる光モジュールを図３と同様の視点で示す図である。本変形例にかかる光モジュールでは、ミラー１３としてプリズムが用いられている点において第１実施形態と異なる。本変形例のミラー１３は、三角柱状のプリズムであって、三角形の一つの角が削られて被固定面１３ｆが形成されている。ミラー１３にこのようなプリズムが用いられる場合、反射面１３ｒにおけるレーザダイオード１１からの光の反射率を高め得る。
【００８１】
また、上記第１及び第２実施形態では、第１コリメートレンズ１６がレーザマウント１２上に固定される例を挙げて説明したが、第１コリメートレンズ１６及びミラー１３は、一体に形成された面に固定されても良い。例えば、第１実施形態の場合は、側壁４ｂの第１面４ｂａに第１コリメートレンズ１６が固定されても良い。また、第２実施形態の場合は、突起部４ｐを第１コリメートレンズ１６が配置される部位まで延在させ、突起部４ｐに第１コリメートレンズ１６が固定されても良い。このように第１コリメートレンズ１６とミラー１３とが一体に形成された面に固定されることによって、第１コリメートレンズ１６とミラー１３との相対的位置のずれが抑制され得る。
【００８２】
また、上記第２実施形態において光屈折部材１８は必須の構成要素ではない。光屈折部材１８が備えられない場合、例えば、第１集光レンズ１４、第２集光レンズ１５及び光ファイバ５０の光軸を、第１集光レンズ１４、第２集光レンズ１５及び光ファイバ５０に入射する光の入射方向に合わせれば良い。
【００８３】
また、上記第１及び第２実施形態では、それぞれのミラー１３で反射される光が他のミラー１３に遮られることが抑制され得る形態を例に挙げて説明した。しかし、それぞれのミラー１３で反射される光のうち少なくとも一部の光が他のミラー１３に遮られなければ良く、他の一部の光が他のミラー１３に遮られても良い。また、それぞれのミラー１３で反射される光は、互いに一部が重なり合っても良い。
【００８４】
また、上記第１及び第２実施形態では、図６に示すように、複数のレーザダイオード１１から出射されて複数のミラー１３で反射された光がそれぞれの光のファスト軸方向から見る場合に互いに重なる。しかし、本発明はこのような形態に限定されない。それぞれの発光素子から出射される光が、それぞれの光のファスト軸方向から見る場合に少なくとも他の一つの発光素子から出射される光の一部と重なるように、複数のミラーによって反射されれば良い。
【００８５】
以上説明したように、本発明によれば、熱又は湿度による光路の変化が抑制され得る光モジュールが提供され、例えばファイバレーザ装置等の分野において使用することができる。
【符号の説明】
【００８６】
１，１ａ・・・光モジュール
２・・・ベースプレート
３・・・蓋体
４・・・サブマウント
４ａ・・・平行面
４ｂ・・・側壁
４ｆ・・・表面
４ｐ・・・突起部
４ｐｆ・・・側面
１１・・・レーザダイオード
１２・・・レーザマウント
１３・・・ミラー
１３ｆ・・・被固定面
１３ｒ・・・反射面
１４・・・第１集光レンズ
１５・・・第２集光レンズ
１６・・・第１コリメートレンズ
１７・・・第２コリメートレンズ
１８・・・光屈折部材
４０・・・固定面
５０・・・光ファイバ
【図１】
2018180807.tif 000003
【図２】
2018180807.tif 000004
【図３】
2018180807.tif 000005
【図４】
2018180807.tif 000006
【図５】
2018180807.tif 000007
【図６】
2018180807.tif 000008
【図７】
2018180807.tif 000009
【図８】
2018180807.tif 000010
【図９】
2018180807.tif 000011
【図１０】
2018180807.tif 000012
【図１１】
2018180807.tif 000013
【図１２】
2018180807.tif 000014
【図１３】
2018180807.tif 000015
【国際調査報告】
2018180807.tif 000016
2018180807.tif 000017
2018180807.tif 000018
2018180807.tif 000019